(57)【要約】【課題】ナイトカバー装置を設けた場合でも、外観が損なわれることがなく、大型化を来すこともないショーケースを提供する。【解決手段】ショーケースによれば、ナイトカバー装置１３がショーケース本体１０の外部に突出することがないので、ナイトカバー装置１３を設けた場合でもショーケースの外観が損なわれることがなく、大型化を来すこともない。【選択図】図１
2007319502.tif 000002
【特許請求の範囲】
【請求項１】
前面を開口したショーケース本体と、ショーケース本体の上面を覆う天板と、ショーケース本体の前面開口部を覆うためのナイトカバーと、ナイトカバーを引き出し及び巻き取り可能に支持するナイトカバー装置とを備えたショーケースにおいて、
前記ナイトカバー装置を、天板の内側の収容位置と、ナイトカバーをショーケース本体の前面開口部側に引き出し可能な天板の外側位置とに移動可能に設けた
ことを特徴とするショーケース。
【請求項２】
前記天板の一部を他の部分と分離して形成するとともに、ナイトカバー装置を天板の一部と共に天板の内側の収容位置と天板の外側位置とに移動可能に設けた
ことを特徴とする請求項１記載のショーケース。
【請求項３】
前記ナイトカバー装置を、ナイトカバーがショーケース本体の前面開口部側に引き出し可能な天板の外側位置に移動した際に、ナイトカバーの引き出し位置が天板の前端よりも前方に位置するように構成した
ことを特徴とする請求項１または２記載のショーケース。
【請求項４】
前記ショーケース本体の前面開口部の上端側に設けられ、ショーケース本体内に空気を吐出する空気吐出口と、天板の内側に設けられ、ショーケース本体の前面開口部を照らす照明灯とを備え、
ナイトカバー装置を、空気吐出口及び照明灯の上方に位置するように設けた
ことを特徴とする請求項１乃至請求項３の何れか一項記載のショーケース。
【発明の詳細な説明】
【技術分野】
【０００１】
本発明は、例えば店舗の営業時間の終了後等にショーケース本体の前面開口部を覆うナイトカバーを備えたショーケースに関するものである。
【背景技術】
【０００２】
従来、スーパーマーケット等の店舗に設置されているショーケースとしては、前面を開口したショーケース本体と、ショーケース本体内を冷却する冷却装置とを備え、冷却装置によってショーケース本体内に収納した冷蔵食品又は冷凍食品を冷却するものが知られている。このようなショーケースは、冷凍商品や冷蔵商品を収納している関係上、営業時間が終了した後にもショーケースの冷却運転を行う必要がある。営業時間が終了した後における冷却運転の冷却負荷をできるだけ小さくするために、ショーケース本体にナイトカバーを収納したナイトカバー装置を設置し、このナイトカバー装置から引き出されたナイトカバーによってショーケース本体の前面開口部を覆うようになっている（例えば特許文献１）。
【特許文献１】特開平５−２６９０３３号公報
【発明の開示】
【発明が解決しようとする課題】
【０００３】
しかしながら、前記ショーケースでは、ナイトカバー装置がショーケース本体の前面に突出して設けられているため、外観が損なわれて展示効果が低下するとともに、ショーケース本体の前面に突出した分だけショーケースが大型化するという問題点があった。
【０００４】
本発明は、上記事情に鑑みてなされたものであり、その目的とするところは、ナイトカバー装置を設けた場合でも、外観が損なわれることがなく、大型化を来すこともないショーケースを提供することにある。
【課題を解決するための手段】
【０００５】
上記目的を達成するために、本発明のショーケースは、前面を開口したショーケース本体と、ショーケース本体の上面を覆う天板と、ショーケース本体の前面開口部を覆うためのナイトカバーと、ナイトカバーを引き出し及び巻き取り可能に支持するナイトカバー装置とを備えたショーケースにおいて、前記ナイトカバー装置を、天板の内側の収容位置と、ナイトカバーをショーケース本体の前面開口部側に引き出し可能な天板の外側位置とに移動可能に設けた構成となっている。
【０００６】
このショーケースによれば、ナイトカバーによってショーケース本体の前面開口部を覆う場合には、ナイトカバー装置を天板の内側の収容位置から天板の外側位置まで移動させた後、ナイトカバー装置からナイトカバーを引き出してショーケース本体の前面開口部を覆う。また、ナイトカバーを使用しない場合には、天板の外側位置から天板の内側の収容位置にナイトカバー装置を移動させることにより、ナイトカバー装置が天板の内側に収容されることから、ナイトカバー装置がショーケース本体の外部に突出することがない。
【発明の効果】
【０００７】
本発明によれば、ナイトカバー装置がショーケース本体の外部に突出することがないので、ナイトカバー装置を設けた場合でもショーケースの外観が損なわれることがなく、大型化を来すこともない。
【発明を実施するための最良の形態】
【０００８】
図１乃至図５は本発明の一実施形態を示すもので、図１はショーケースの全体斜視図、図２はショーケースの側面断面図、図３はショーケースの要部側面断面図、図４はショーケースの要部側面断面図、図５はショーケースの側面断面図である。
【０００９】
このショーケースは、前面を開口したショーケース本体１０と、ショーケース本体１０の内側に形成された商品収納部２０と、ショーケース本体１０内の上面側、背面側及び底面側に沿って形成された通風路３０と、背面側の通風路３０内に配置された冷却器４０と、底面側の通風路３０内に配置された複数の送風機５０とから構成されている。
【００１０】
ショーケース本体１０は、ショーケース本体１０の上面側を覆う第１の断熱部材１１ａと、ショーケース本体１０の背面側を覆う第２の断熱部材１１ｂと、ショーケース本体１０の底面側を覆う第３の断熱部材１１ｃと、ショーケース本体１０の上面を覆う天板１２と、ショーケース本体１０の両側面を覆う一対の側板１４と、上面側通風路３０の下方を覆う上面板１５と、背面側通風路３０の前方を覆う背面板１６と、底面側通風路３０の上方を覆う底板１７とからなる。
【００１１】
各断熱部材１１ａ，１１ｂ，１１ｃはそれぞれ単一の材料からなり、例えば予め発泡硬化された断熱材によって所定形状に成形されている。第１の断熱部材１１ａは上面側の通風路３０の上面を覆うように形成され、第２の断熱部材１１ｂはショーケース本体１０の背面を覆うように形成され、また、第３の断熱部材１１ｃは底面側の通風路３０の前面、背面、下面及び両側面を覆うように形成されている。
【００１２】
天板１２は金属板からなり、天板１２の前端に位置するシェード１２ａと、天板１２の後方に位置する固定天板部１２ｂと、シェード１２ａと固定天板部１２ｂとの間に位置する可動天板部１２ｃとから構成されている。シェード１２ａは下方に屈曲した光透過性の合成樹脂によって形成され、このシェード１２ａ内にはショーケース本体１０の前面開口部を照らす照明灯としての蛍光灯１２ｄが取付けられている。固定天板部１２ｂは、第１の断熱部材１１ａの上方に固定して設けられている。可動天板部１２ｃは、図１に示すように、複数の蝶番１３ｂによってシェード１２ａの後端側と連結している。また、可動天板部１２ｃには、図２に示すように、ショーケース本体１０の幅方向に延びるようにナイトカバー装置１３が設けられている。
【００１３】
ナイトカバー装置１３には、ショーケース本体１０の前面開口部を覆うためのナイトカバー１３ａがロール状に巻き回されて支持されている。また、ナイトカバー装置１３は、ナイトカバー１３ａの引き出し及び巻き取りが可能なロールスクリーン状に形成されている。さらに、ナイトカバー装置１３は、図２に示すように、ナイトカバー装置１３を天板１２の内側に収容する位置（以下、収容位置という）に配置している場合には、蛍光灯１２ｄと後述する空気吐出口３１との上方に位置するように設けられている。
【００１４】
このナイトカバー装置１３は、図４に示すように、蝶番１３ｂを軸として可動天板部１２ｃと共に、天板１２の収容位置から、ナイトカバー１３ａがショーケース本体１０の前面開口部側に引き出し可能な天板１２の外側の位置（以下、外側位置という。）まで１８０°回動できるようになっている。このように、ナイトカバー装置１３が可動天板部１２ｃと共に、天板１２の収容位置から天板１２の外側位置まで回動した際には、可動天板部１２ｃの前端部は、図４に示すように、シェード１２ａの前端よりも前方に突出するようになっている。また、ナイトカバー装置１３は、蝶番１３ｂを軸として可動天板部１２ｃと共に、天板１２の外側位置から天板１２の収容位置まで回動できるようになっている。このように、ナイトカバー装置１３が可動天板部１２ｃと共に、天板１２の外側位置から天板１２の収容位置まで回動した際には、ナイトカバー装置１３が天板１２の内側に収容され、元の位置に容易に戻るようになっている。これにより、ナイトカバー装置１３は、ショーケース本体１０の前後方向、つまり、蝶番１３ｂを軸として可動天板部１２ｃと共に、天板１２の収容位置と天板１２の外側位置との間を回動自在になるように構成されている（図４の一点鎖線矢印参照）。
【００１５】
また、ナイトカバー装置１３を天板１２の収容位置から天板１２の外側位置まで回動した際に、可動天板部１２ｃの前端部がシェード１２ａの前端よりも前方に突出することにより、ナイトカバー１３ａの引き出し位置Ｘがシェード１２ａの前端よりも前方に位置するようになっている。ここで、ナイトカバー１３ａの引き出し位置Ｘとは、図５に示すように、ナイトカバー装置１３から引き出されたナイトカバー１３ａがショーケース本体１０の前面開口部を覆った際におけるナイトカバー１３ａの位置のことである。
【００１６】
ナイトカバー１３ａは、布又はビニール製の可撓性を有するシート材からなる。また、ナイトカバー１３ａの引き出し方向先端部には把持部１３ｄが設けられ、この把持部１３ｄを把持することにより、ナイトカバー装置１３からナイトカバー１３ａの引き出し及び巻き取りを行うようになっている。
【００１７】
各側板１４、上面板１５、背面板１６及び底板１７は金属板からなり、それぞれ所定形状に形成されている。各側板１４は、それぞれ透明の側面ガラス１４ａを有し、側面ガラス１４ａ以外の部分をショーケース本体１０の側面に沿って略コ字状に形成されている。この場合、各側板１４の周端部はショーケース本体１０の内側に向かって屈曲している。上面板１５は前端を下方に屈曲し、その両側端はそれぞれ上方に屈曲している。また、背面板１６は下端を前方に屈曲し、底板１７は両側端をそれぞれ下方に屈曲している。
【００１８】
商品収納部２０は、ショーケース本体１０内に取付けられた上下複数段の商品棚２１と、各商品棚２１の前端側に設けられたプライスカード等を保持するカード保持部２２を備えている。
【００１９】
通風路３０は、各断熱部材１１ａ，１１ｂ，１１ｃの各内側面と、各断熱部材１１ａ，１１ｂ，１１ｃと間隔をおいて設けられた上面板１５、背面板１６及び底板１７との間に形成されている。また、ショーケース本体１０の前面開口部上端に位置する通風路３０の端部には空気吐出口３１が幅方向に延びるように設けられ、その他端にはショーケース本体１０の前面開口部下端に位置する空気吸入口３２が設けられている。また、空気吐出口３１にはハニカム状の通気構造を有する整流部材３１ａが取付けられ、通風路３０の空気吸入口３２には多数の通気孔を有する吸気口グリル３３が取付けられている。
【００２０】
冷却器４０は冷媒用の銅製の配管及びフィンからなり、背面側の通風路３０内に配置されている。また、冷却器４０は、図示しない冷凍機に接続されている。
【００２１】
送風機５０は底面側の通風路３０内に配置され、ファンダクト５０ａに取付けられている。
【００２２】
以上のように構成されたショーケースにおいては、スーパーマーケット等の店舗に設置され、商品棚２１に例えば冷蔵食品又は冷凍食品等を陳列して利用される。このとき、例えば店舗の営業時間においては、図１乃至図３に示すように、ナイトカバー装置１３を天板１２の収容位置に配置した状態で、ショーケース本体１０の前面開口部下端の空気吸入口３２から通風路３０内に吸入された空気が冷却器４０によって冷却され、前面開口部上端の空気吐出口３１から吐出する。これにより、ショーケース本体１０の前面開口部にエアカーテンが形成され、ショーケース本体１０内が冷却されるとともに、商品棚２１に陳列された冷蔵食品又は冷凍食品も冷却される。
【００２３】
そして、例えば店舗の営業時間の終了後等においては、図４に示すように、ナイトカバー装置１３を天板１２の収容位置から天板１２の外側位置まで回動させる。続いて、図５に示すように、ナイトカバー装置１３からナイトカバー１３ａを引き出して、把持部１３ｄをショーケース本体１０の前面開口部の下端に設けられたフック１３ｅに係止することにより、ショーケース本体１０の前面開口部がナイトカバー１３ａで覆われる。ショーケース本体１０の前面開口部がナイトカバー１３ａによって覆われた状態で、前面開口部下端の空気吸入口３２から通風路３０内に吸入された空気が冷却器４０によって冷却され、前面開口部上端の空気吐出口３１から吐出する。
【００２４】
その後、再び店舗の営業時間になった場合には、ナイトカバー装置１３にナイトカバー１３ａを巻き戻した後、ナイトカバー装置１３を天板１２の外側位置から天板１２の収容位置まで回動させる。これにより、ナイトカバー装置１３が天板１２の内側に収容され、元の収容位置に容易に戻ることから、ナイトカバー装置１３がショーケース本体１０の外部に突出することがない。
【００２５】
このように、本実施形態のショーケースによれば、ナイトカバー装置１３がショーケース本体１０の外部に突出することがないので、ナイトカバー装置１３を設けた場合でもショーケースの外観が損なわれることがなく、大型化を来すこともない。
【００２６】
さらに、本実施形態のショーケースによれば、ナイトカバー装置１３を天板１２の収容位置から天板１２の外側位置まで回動させることにより、ナイトカバー１３ａによってショーケース本体１０の前面開口部を覆うことができるので、例えば店舗の営業時間の終了後等における冷却運転の冷却負荷をできるだけ小さくすることができる。
【００２７】
また、本実施形態のショーケースによれば、天板１２の外側位置に回動した際に、可動天板部１２ｃの前端部がシェード１２ａの前端よりも前方に突出するようにしたので、ナイトカバー１３ａとショーケースの前面とが接触することなく、ナイトカバー装置１３からナイトカバー１３ａの引き出し及び巻き取りを行うことができる。これにより、ナイトカバー１３ａやショーケースの前面の破損を防止することができる。
【００２８】
さらに、本実施形態のショーケースによれば、ナイトカバー装置１３を、蛍光灯１２ｄと空気吐出口３１との上方に位置するように設けたので、蛍光灯１２ｄと空気吐出口３１との間にナイトカバー装置１３を設置するための空間を設ける必要がない。これにより、本実施形態のショーケースは、蛍光灯１２ｄと空気吐出口３１とを必要最小限の間隔をおいて配置することができるので、ショーケース本体１０の前後方向の幅が大きくなることを抑制できる。
【００２９】
また、本実施形態のショーケースによれば、ナイトカバー１３ａの引き出し方向先端部には把持部１３ｄが設けられているので、ナイトカバー装置１３からナイトカバー１３ａの引き出し及び巻き取りを容易に行うことができる。
【００３０】
さらに、本実施形態のショーケースによれば、蛍光灯１２ｄはシェード１２ａ内に取り付けられ、且つ、蛍光灯１２ｄから離れたところでナイトカバー１３ａの引き出し及び巻き取りを行うことができるので、蛍光灯１２ｄの破損を防止することができるとともに、蛍光灯１２ｄの割れ防止金具を設置する必要がないので、部品コストを低減することができる。
【００３１】
尚、前記実施形態では、前面を開口したショーケースを示したが、本発明は上面を開口したショーケースや前面に開閉扉を有するショーケース等、他の構成からなるショーケースにも適用することができる。
【００３２】
また、本実施形態のショーケースでは蝶番１３ｂを複数備えたものを示したが、これに限られない。蝶番１３ｂを少なくとも１つ設置した場合であっても、本実施形態と同様の作用効果を得ることができる。
【００３３】
さらに、前記実施形態ではナイトカバー装置１３をショーケース本体１０と一体に設けたものを示したが、ナイトカバー装置１３をショーケース本体１０とは別体として設け、取り外し可能にしてもよい。
【図面の簡単な説明】
【００３４】
【図１】本発明の一実施形態に係るショーケースの全体斜視図
【図２】本発明の一実施形態に係るショーケースの側面断面図
【図３】本発明の一実施形態に係るショーケースの要部側面断面図
【図４】本発明の一実施形態に係るショーケースの要部側面断面図
【図５】本発明の一実施形態に係るショーケースの側面断面図
【符号の説明】
【００３５】
１０…ショーケース本体、１２…天板、１２ａ…シェード、１２ｂ…固定天板部、１２ｃ…可動天板部、１３…ナイトカバー装置、１３ａ…ナイトカバー、１３ｂ…蝶番、１３ｄ…把持部。
【図１】
2007319502.tif 000003
【図２】
2007319502.tif 000004
【図３】
2007319502.tif 000005
【図４】
2007319502.tif 000006
【図５】
2007319502.tif 000007